(57)【特許請求の範囲】
【請求項１】
表示器の表示画面の第１の表示領域に情報表示画面を表示し、前記表示画面の第２の表示領域に前記情報表示画面を操作する操作画面を表示する携帯情報処理端末において、
プロジェクタ手段と、
所定の表示切替操作に応答して前記操作画面を前記第２の表示領域を拡大して表示すると共に、該第２の表示領域が徐々に拡大するにつれ、第１の表示領域が狭くなり、その結果、前記情報表示画面のうちの前記第１の表示領域に表示しきれなくなった部分を前記プロジェクタ手段を用いて外部の被投射体上に投射する表示切替制御手段と、
前記表示器の表示画面に表示された操作画面を用いて前記外部の被投射体上に投射された情報表示画面を操作する操作制御手段と
を具備することを特徴とする携帯情報処理端末。
【請求項２】
前記表示切替制御手段は、
前記表示切替制御手段により前記第１の表示領域に表示された情報表示画面を前記プロジェクタ手段により外部の被投射体上に拡大投射するに際して該情報表示画面の画像の解像度および色数を変換する変換手段
を具備することを特徴とする請求項１記載の携帯情報処理端末。
【請求項３】
前記操作画面は、
前記情報表示画面に表示する画像を選択するためのサムネイル画像を含み、
前記操作画面に表示されたサムネイル画像の選択に対応して前記外部の被投射体上に投射される情報表示画面を切り替えることを特徴とする請求項１記載の携帯情報処理端末。
【発明の詳細な説明】
【技術分野】
【０００１】
この発明は、携帯情報処理端末に関し、特に、携帯電話機、ＰＤＡ（Personal Didital Assistants）、ノート型パソコン等の限られたサイズの表示画面を有効利用して情報の表示および画面操作を行う携帯情報処理端末に関する。
【背景技術】
【０００２】
一般に、携帯電話機、ＰＤＡ、ノートパソコン等の携帯情報処理端末においては、その携帯性を確保するために、表示器の表示画面は限られたサイズに設定され、また、その解像度も低く設定される場合が多いので、表示器の表示画面に一度の表示可能な情報量は制限され、また、表示された情報の視認性にも問題があり、更に、その画面操作性も満足できない場合がある。
【０００３】
この携帯情報処理端末の情報の視認性を改善する従来技術としては、例えば、特許文献１に開示されたものがある。
【０００４】
この特許文献１に開示された技術においては、携帯電話機にプロジェクタ部を設け、このプロジェクタ部により本来携帯電話機の表示器の表示画面に表示される画像を拡大して外部の被投射体に表示することを可能にしている。
【０００５】
この技術によれば、例えば、通話を行いながら一度に多量の情報を被投射体上に投射して表示することが可能になり、また、被投射体上に表示される画像は拡大されているのでその視認性も向上する。
【０００６】
また、情報の視認性および画面操作性を改善する従来の技術としては、例えば、特許文献２に開示されたものがある。
【０００７】
この特許文献２に開示された技術においては、アプリケーション表示画面を情報表示画面と操作画面に分割して、その操作画面を用いて情報表示画面の画面操作を可能にしている。また、必要に応じて操作画面に情報表示画面を表示する構成の記載もある。
【特許文献１】特開２０００−２３６３７５
【特許文献１】特開２００３−１４０７９８
【発明の開示】
【発明が解決しようとする課題】
【０００８】
しかし、特許文献１に開示された技術においては、携帯情報処理端末の情報の視認性はある程度改善できても、画面操作性に関しては問題がある。
【０００９】
また、特許文献２に開示された技術は、標準の表示器を用いることを想定したものであり、携帯情報処理端末のように表示器の表示画面のサイズが制限されたものにおいてはそのまま適用することはできない。
【００１０】
そこで、この発明は、表示器の表示画面のサイズが制限された携帯情報処理端末における情報の視認性および画面操作性の両者を改善した携帯情報処理端末を提供することを目的とする。
【課題を解決するための手段】
【００１２】
上記目的を達成するため、請求項１の発明は、表示器の表示画面の第１の表示領域に情報表示画面を表示し、前記表示画面の第２の表示領域に前記情報表示画面を操作する操作画面を表示する携帯情報処理端末において、プロジェクタ手段と、所定の表示切替操作に応答して前記操作画面を前記第２の表示領域を拡大して表示すると共に、該第２の表示領域が徐々に拡大するにつれ、第１の表示領域が狭くなり、その結果、前記情報表示画面のうちの前記第１の表示領域に表示しきれなくなった部分を前記プロジェクタ手段を用いて外部の被投射体上に投射する表示切替制御手段と、前記表示器の表示画面に表示された操作画面を用いて前記外部の被投射体上に投射された情報表示画面を操作する操作制御手段とを具備することを特徴とする
【００１３】
また、請求項２の発明は、請求項１の発明において、前記表示切替制御手段は、前記表示切替制御手段により前記第１の表示領域に表示された情報表示画面を前記プロジェクタ手段により外部の被投射体上に拡大投射するに際して該情報表示画面の画像の解像度および色数を変換する変換手段を具備することを特徴とする。
【００１４】
また、請求項３の発明は、請求項１の発明において、前記操作画面は、前記情報表示画面に表示する画像を選択するためのサムネイル画像を含み、前記操作画面に表示されたサムネイル画像の選択に対応して前記外部の被投射体上に投射される情報表示画面を切り替えることを特徴とする。
【発明の効果】
【００２３】
この発明によれば、必要に応じて情報表示画面を選択的に外部の被投射体上若しくは外部の表示装置の表示画面上に表示するように切り替えることができ、また、携帯情報処理端末の表示器の表示画面には、外部の被投射体上若しくは外部の表示装置の表示画面上に表示された情報表示画面を操作する操作画面を表示することで、外部の被投射体上若しくは外部の表示装置の表示画面上に表示された情報表示画面の画面操作を遠隔制御することが可能になり、表示器の表示画面のサイズが制限された携帯情報処理端末における情報の視認性および画面操作性の両者を有効に改善することができるという効果を奏する。
【発明を実施するための最良の形態】
【００２４】
以下、この発明に係わる携帯情報処理端末の一実施例を添付図面を参照して詳細に説明する。
【実施例１】
【００２５】
図１は、この発明に係わる携帯情報処理端末１００の一実施例の概略構成を示すブロック図であり、図２は、この携帯情報処理端末１００の外観を示す外観図である。
【００２６】
なお、図１においては、携帯情報処理端末１００としてＰＤＡを想定しているが、表示器の表示画面のサイズが制限された携帯電話機、ノートパソコン等の携帯情報処理端末にも同様に適用可能である。
【００２７】
図１において、携帯情報処理端末１００は、各種画面を表示する液晶表示器（ＬＣＤ）１１０、ＬＣＤ１１０に表示された画面の内の情報表示画面を外部の被投射体に投射して表示するためのプロジェクタ部１２０、この携帯情報処理端末１００の全体動作を統括制御する制御部１３０、この携帯情報処理端末１００を操作するための指示入力を行う操作入力部１４０を具備して構成される。
【００２８】
ここで、ＬＣＤ１１０は、図２に示す表示画面１１１を有し、この表示画面１１１を２つに分割して上部に情報表示画面（以下、表示部という）１１２、下部に操作画面（以下、操作部という）１１３を表示することができるように構成されている。
【００２９】
図２においては、操作部１１３には、複数のサムネイル画像１１３−１、１１３−２、１１３−３、１１３−４の一覧が操作画面として表示された状態を示しており、表示部１１２には、操作部１１３のサムネイル画像１１３−１、１１３−２、１１３−３、１１３−４の選択指示により選択された情報画面１１２−１が表示された状態を示している。
【００３０】
プロジェクタ部１２０は、例えば、特開２０００−２３６３７５に開示されたような液晶シャッタを用いたプロジェクタ装置を用いて構成することができ、このプロジェクタ部１２０は、その発明に係わる表示切替により、表示部１１２に表示された情報画面１１２−１を図２に示したプロジェクタ投射部１２１から外部の壁、床等の被投射体に投射して拡大表示することができるように構成されている。
【００３１】
また、制御部１３０は、ＣＰＵ（中央演算処理装置）等から構成されるメインコントローラ１３１、操作入力部１４０からの操作入力を処理する入力マネージャ１３２、ＬＣＤ１１０を用いた表示およびプロジェクタ部１２０を用いた表示制御を行う表示マネージャ１３３、表示マネージャ１３３を用いた表示制御に際して参照されるＧＵＩ（Graphical User Interface）構成定義データを記憶するＧＵＩ構成定義データ記憶部１３４を具備して構成される。
【００３２】
ＬＣＤ１１０の表示画面１１１に、入力マネージャ１３２からの指示に基づき表示部１１２および操作部１１３を表示する場合は、メインコントローラ１３１から表示マネージャ１３３への表示依頼を行い、表示マネージャ１３３は、ＧＵＩ構成定義データ記憶部１３４に記憶されたＧＵＩ構成定義データを参照して、ＬＣＤ１１０の表示画面１１１に表示部１１２および操作部１１３を表示する処理を行う。
【００３３】
ここで、図２に示すように操作部１１３にサムネイル一覧を表示し、表示部１１２にこのサムネイル一覧から選択された情報画面１１２−１を表示する場合のＧＵＩ構成定義データ記憶部１３４に記憶するＧＵＩ構成定義データの一例をＸＭＬ（eXtensible Markup Language ）ファイルで記述した場合について示すと以下のようになる。
【００３４】
<?xml version="1.0"encoding="utf-8">
<page name="サムネイル画像表示">  
<item id="1"type="表示部">
<data>選択</data>
</item>
<item id="2"type="操作部">
<data>サムネイル画像</data>
</item>
</page>
操作入力部１４０は、図２に示したスクロールキー１４１およびテンキー１４２を具備し、図２に示した表示状態においては、スクロールキー１４１の操作により操作部１１３のサムネイル画像１１３−１、１１３−２、１１３−３、１１３−４のいずれかを選択し、これにより表示部１１２にこの選択されたサムネイル画像に対応する情報画面１１２−１が表示される。
【００３５】
図３は、図１に示した携帯情報処理端末１００における表示制御処理の一例を示すフローチャートである。
【００３６】
制御部１３０のメインコントローラ１３１からの表示依頼により表示マネージャ１３３による表示制御処理が開始されると、まず、ＧＵＩ構成定義データ記憶部１３４に記憶されたＧＵＩ構成定義データを参照して「表示部」データを取得し（ステップ３０１）、この取得した「表示部」データに対応する表示部１１２をＬＣＤ１１０の表示画面１１１に表示する（ステップ３０４）。
【００３７】
次に、ＧＵＩ構成定義データ記憶部１３４に記憶されたＧＵＩ構成定義データを参照して「操作部」データを取得し（ステップ３０３）、この取得した「操作部」データに対応する操作部１１３をＬＣＤ１１０の表示画面１１１に表示する（ステップ３０４）。この状態が、図２に示した表示状態である。
【００３８】
さて、この実施例においては、ＬＣＤ１１０の表示画面１１１を有効に利用するために、操作入力部１４０における所定の画面切替操作により、ＬＣＤ１１０の表示画面１１１の表示部１１２をプロジェクタ部１２０を用いて外部の壁等の被投射体に投射して拡大表示し、ＬＣＤ１１０の表示画面１１１の操作部１１２をＬＣＤ１１０の表示画面１１１に全面表示する表示モードが設けられている。
【００３９】
すなわち、図２に示した表示状態において、操作入力部１４０による表示モード切替があるかを調べ（ステップ３０５）、ここで、表示モード切替がない場合は（ステップ３０５でＮＯ）、図２に示した表示状態を続けてこの処理を終了するが、ステップ３０５で表示モード切替があると判断された場合は（ステップ３０５でＹＥＳ）、プロジェクタ部１２０を起動する（ステップ３０６）。
【００４０】
そして、ＧＵＩ構成定義データ記憶部１３４に記憶されたこの切替モードにおけるＧＵＩ構成定義データを参照して「表示部」データを取得し（ステップ３０７）、この取得した「表示部」データに対応する表示部１１２をプロジェクタ部１２０を用いて外部の被投射体に投射表示する（ステップ３０８）。
【００４１】
ここで、「表示部」データに対応する表示部１１２をプロジェクタ部１２０を用いて外部の被投射体に投射表示する場合は、表示部１１２の解像度および色数をプロジェクタ部１２０により投射表示される画像に合わせて変換する処理を行う。
【００４２】
次に、ＧＵＩ構成定義データ記憶部１３４に記憶されたこの切替モードにおけるＧＵＩ構成定義データを参照して「操作部」データを取得し（ステップ３０９）、この取得した「操作部」データに対応する操作部１１３をＬＣＤ１１０の表示画面１１１に全面表示して（ステップ３１０）、この処理を終了する。
【００４３】
なお、この場合の「操作部」データに対応する操作部１１３のＬＣＤ１１０の表示画面１１１における全面表示は、ＬＣＤ１１０の表示画面１１１における操作部１１３を表示画面１１１の全面に広げる処理により行われる。
【００４４】
このような構成によると、図２に示したように、ＬＣＤ１１０の表示画面１１１に表示されていた小さな表示部１１２は、プロジェクタ部１２０を用いて外部の壁等の被投射体に拡大投射表示され（図５参照）、ここで、表示部１１２の画像の解像度および色数は、プロジェクタ部１２０により投射表示される画像に合わせて変換されるので、これにより表示部１１２の視認性を大幅に改善することができる。
【００４５】
また、操作部１１３は、ＬＣＤ１１０の表示画面１１１に全面表示され、このＬＣＤ１１０の表示画面１１１に全面表示された操作部１１３を用いてプロジェクタ部１２０を用いて外部の壁等の被投射体に拡大投射表示される画像の画面操作を行うことができるので、これにより操作部１１３を用いた画面操作の操作性を大幅に改善することができる。
【００４６】
すなわち、ＬＣＤ１１０の表示画面１１１に表示されていた小さな操作部１１３は、ＬＣＤ１１０の表示画面１１１に全面表示されるので、一度の多数のサムネイル画像等を表示することができ（図５参照）、これにより所望のサムネイル画像を選択する等のために操作部１１３をスクロールする処理が減り、サムネイル画像等を用いた画面選択操作の操作性が大幅に向上する。
【００４７】
なお、上記表示モード切替は、操作入力部１４０のスクロールキー１４１を用いて滑らかに行うように構成することができる。
【００４８】
すなわち、操作入力部１４０の所定のキー操作により表示モード切替状態に設定した後、スクロールキー１４１により上スクロール操作を行うと、ＬＣＤ１１０の表示画面１１１の操作部１１３が順次拡大し、この操作部１１３の拡大に応じて押し出された表示部１１２がプロジェクタ部１２０により外部の被投射体４００に投射表示されるように構成する。
【００４９】
図４および図５はこの処理を示したものである。
【００５０】
図２に示すように、ＬＣＤ１１０の表示画面１１１に表示部１１２と操作部１１３が表示された状態で、操作入力部１４０の所定のキー操作により表示モード切替状態に設定し、スクロールキー１４１を上操作すると、ＬＣＤ１１０の表示画面１１１の操作部１１３は図４に示すように、スクロールキー１４１の上操作に対応して順次拡大され、この操作部１１３の拡大に応じて押し出された表示部１１２がプロジェクタ部１２０により外部の被投射体４００に表示部４０１として表示される。
【００５１】
そして、スクロールキー１４１の上操作によりＬＣＤ１１０の表示画面１１１に表示された表示部１１２が完全に押し出されると、図５に示すように、ＬＣＤ１１０の表示画面１１１に操作部１１３が全面表示され、外部の被投射体４００に表示部１１２が表示部４０１として完全表示される。
【００５２】
このような構成によると、スクロールキー１４１を用いて表示部１１２を押し出す感覚でプロジェクタ部１２０を用いた表示モードの切り替えを行うことができる。
【００５３】
なお、上記携帯情報処理端末１００における表示制御処理は、携帯情報処理端末１００にインストールされた情報表示処理プログラムによって実行するように構成することができる。
【実施例２】
【００５４】
図６は、この発明に係わる携帯情報処理端末を用いた情報表示処理システムの他の実施例の概略構成を示すブロック図である。
【００５５】
この実施例においては、携帯情報処理端末６００のＬＣＤ６１０の表示画面に表示された情報表示画面を他の外部表示装置７００を用いて表示させることで、情報表示画面の視認性および画面操作性を改善したものである。
【００５６】
ここで、外部表示装置７００は、例えば、コンビニエンスストア等に設置されたこの表示制御をサポートする表示装置等を用いることができる。
【００５７】
この発明に係わる携帯情報処理端末６００は、例えば無線ＬＡＮ（Local Area Network ）９００を介して外部表示装置７００およびこの表示制御をサポートするサーバ８００に接続される。
【００５８】
この構成において、携帯情報処理端末６００は、各種画面を表示する液晶表示器（ＬＣＤ）６１０、ＬＣＤ６１０に表示された画面の内の情報表示画面を外部表示装置７００に表示するために無線ＬＡＮ９００にアクセスするためのネットワークアダプタ６２０、この携帯情報処理端末１００の全体動作を統括制御する制御部６３０、この携帯情報処理端末６００を操作するための指示入力を行う操作入力部６４０を具備して構成される。
【００５９】
ここで、ＬＣＤ６１０は、図２に示したと同様に、表示画面１１１を有し、この表示画面１１１を２つに分割して上部に情報表示画面（表示部）１１２、下部に操作画面（操作部）１１３を表示することができるように構成されている。
【００６０】
また、制御部６３０は、ＣＰＵ等から構成されるメインコントローラ６３１、操作入力部６４０からの操作入力を処理する入力マネージャ６３２、ＬＣＤ６１０に対する表示制御を行う表示マネージャ６３３を具備して構成される。
【００６１】
また、外部表示装置７００は、無線ＬＡＮ９００にアクセスするためのネットワークアダプタ７１０、この外部表示装置７００の全体動作を統括制御する制御部７３０、携帯情報処理端末６００のＬＣＤ６１０の表示画面１１１に表示された表示部１１２を拡大表示するためのディスプレイ７２０を具備し、制御部７３０は、ＣＰＵ等から構成されるメインコントローラ７３１、ディスプレイ７２０に対する表示制御を行う表示マネージャ７３２を具備して構成される。
【００６２】
また、サーバ８００は、無線ＬＡＮ９００にアクセスするためのネットワークアダプタ８１０、この外部表示装置７００の全体動作を統括制御する制御部８２０を具備し、制御部８２０は、ＣＰＵ等から構成されるメインコントローラ８２１、外部表示装置７００を用いた表示モードのためのＧＵＩ構成定義データを記憶するＧＵＩ構成定義データ記憶部８２２を具備して構成される。
【００６３】
上記構成の情報表示処理システムにおいて、携帯情報処理端末６００の操作入力部６４０でＬＣＤ６１０の表示画面１１１に表示された表示部１１２を外部表示装置７００に表示させる表示モードの切替操作が行われると、携帯情報処理端末６００の制御部６３０のメインコントローラ６３１は、ネットワークアダプタ６２０、無線ＬＡＮ９００を介して外部表示装置７００に表示依頼を行うとともに、ネットワークアダプタ６２０、無線ＬＡＮ９００を介してサーバ８００に「操作部」データ取得依頼を行う。
【００６４】
上記表示依頼は、外部表示装置７００のネットワークアダプタ７１０を介して制御部７３０のメインコントローラ７３１で受け付けられ、メインコントローラ７３１は、これに応答してネットワークアダプタ７１０、無線ＬＡＮ９００を介して依頼確認を携帯情報処理端末１００に返す。
【００６５】
また、上記「操作部」データ取得依頼が、サーバ８００のネットワークアダプタ８１０を介して制御部８２０のメインコントローラ８２１で受け付けられると、メインコントローラ８２１は、ＧＵＩ構成定義データ記憶部８２２に記憶されたＧＵＩ構成定義データを参照して「操作部」データを取得して、この「操作部」データを、ネットワークアダプタ８１０、無線ＬＡＮ９００を介して携帯情報処理端末６００に送る。
【００６６】
これにより、携帯情報処理端末６００は、この「操作部」データに基づき表示マネージャ６３３に対して操作部１１３の表示依頼を行い、これにより携帯情報処理端末６００のＬＣＤ６１０の表示画面１１１には操作部１１３が全面表示される。
【００６７】
また、携帯情報処理端末１００からの表示依頼を受け付けた外部表示装置７００は、ネットワークアダプタ７１０、無線ＬＡＮ９００を介してサーバ８００に「表示部」データ取得依頼を行う。
【００６８】
この「表示部」データ取得依頼が、サーバ８００のネットワークアダプタ８１０を介して制御部８２０のメインコントローラ８２１で受け付けられると、メインコントローラ８２１は、ＧＵＩ構成定義データ記憶部８２２に記憶されたＧＵＩ構成定義データを参照して「表示部」データを取得して、この「表示部」データを、ネットワークアダプタ８１０、無線ＬＡＮ９００を介して外部表示装置７００に送る。
【００６９】
これにより、外部表示装置７００は、この「表示部」データに基づき表示マネージャ７３２に対して表示部１１２の表示依頼を行い、これにより外部表示装置７００のディスプレイ７２０には表示部１１２が拡大表示される。
【００７０】
ここで、外部表示装置７００の表示マネージャ７３２は、ディスプレイ７２０の表示能力に合わせて表示部１１２の画像の解像度および色数を変換する。
【００７１】
このような構成によると、携帯情報処理端末６００に外部表示装置７００を用いた表示モードのためのＧＵＩ構成定義データを記憶するＧＵＩ構成定義データ記憶部を設けずに上記外部表示装置７００を用いた表示モードの表示制御が可能になる。
【００７２】
なお、この情報表示処理システムにおける上記情報表示処理は、携帯情報処理端末６００、外部表示装置７００、サーバ８００にそれぞれインストールされた情報表示処理プログラムにより実行するように構成することができる。
【産業上の利用可能性】
【００７３】
この発明に係わる携帯情報処理端末は、表示器の表示画面のサイズが制限された携帯電話機、ＰＤＡ、ノートパソコン等の携帯情報処理端末において情報の視認性および画面操作性の両者を改善するために有効である。
【図面の簡単な説明】
【００７４】
【図１】この発明に係わる携帯情報処理端末１００の一実施例の概略構成を示すブロック図である。
【図２】図１に示した携帯情報処理端末１００の外観を示す外観図である。
【図３】図１に示した携帯情報処理端末１００における表示制御処理の一例を示すフローチャートである。
【図４】図１に示した携帯情報処理端末１００における表示モードの切り替え動作を説明する図である。
【図５】図１に示した携帯情報処理端末１００における表示モードの切り替え動作を説明する図である。
【図６】この発明に係わる携帯情報処理端末を用いた情報表示処理システムの他の実施例の概略構成を示すブロック図である。
【符号の説明】
【００７５】
１００    携帯情報処理端末
１１０    液晶表示器（ＬＣＤ）
１１１    表示画面
１１２    情報表示画面（表示部）
１１３    操作画面（操作部）
１１３−１、１１３−２、１１３−３、１１３−４    サムネイル画像
１２０    プロジェクタ部
１２１    プロジェクタ投射部
１３０    制御部
１３１    メインコントローラ
１３２    入力マネージャ
１３３    表示マネージャ
１３４    ＧＵＩ構成定義データ記憶部
１４０    操作入力部
４００    被投射体
４０１    情報表示画面（表示部）    
６００    携帯情報処理端末
６１０    液晶表示器（ＬＣＤ）
６２０    ネットワークアダプタ
６３０    制御部
６３１    メインコントローラ
６３２    入力マネージャ
６３３    表示マネージャ
６４０    操作入力部
７００    外部表示装置
７１０    ネットワークアダプタ
７２０    ディスプレイ
７３０    制御部
７３１    メインコントローラ
７３２    表示マネージャ
８００    サーバ
８１０    ネットワークアダプタ
８２０    制御部
８２１    メインコントローラ
８２２    ＧＵＩ構成定義データ記憶部
９００    無線ＬＡＮ（Local Area Network ）
【図１】
0004686973.tif 000002
【図２】
0004686973.tif 000003
【図３】
0004686973.tif 000004
【図４】
0004686973.tif 000005
【図５】
0004686973.tif 000006
【図６】
0004686973.tif 000007